(57)【特許請求の範囲】
【請求項１】
プログラムであって、携帯装置に、
プライマリサービングセル（Ｐセル）であって、第１の時分割デュプレックス（ＴＤＤ）構成で確立される第１のコンポーネントキャリアに関連付けられるＰセル、及びセカンダリサービングセル（Ｓセル）であって、第２のＴＤＤ構成で確立される第２のコンポーネントキャリアを含むＳセル、を介して一つ以上の基地局と通信を確立させ、
前記Ｓセルを介して下りリンクのデータを受信させ、
前記第１及び第２のＴＤＤ構成に基づいて、基準ＴＤＤ構成を選択させ、かつ
前記基準ＴＤＤ構成のハイブリッド自動再送要求（ＨＡＲＱ）タイミングに従って、前記下りリンクのデータと関連付けられるアクノリッジメント情報を送信させ、
前記プログラムは、前記携帯装置に、さらに：
第１のコンポーネントキャリアのＴＤＤ構成がＴＤＤ下りリンク／上りリンク（ＤＬ／ＵＬ）構成１であり、且つ第２のＴＤＤ構成がＴＤＤ  ＤＬ／ＵＬ構成３である場合；
前記第１のＴＤＤ構成がＴＤＤ  ＤＬ／ＵＬ構成２であり、且つ前記第２のＴＤＤ構成がＴＤＤ  ＤＬ／ＵＬ構成３又は４である場合；
前記第１のＴＤＤ構成がＴＤＤ  ＤＬ／ＵＬ構成３であり、且つ前記第２のＴＤＤ構成がＴＤＤ  ＤＬ／ＵＬ構成１又はＴＤＤ  ＤＬ／ＵＬ構成２である場合；又は
前記第１のＴＤＤ構成がＴＤＤ  ＤＬ／ＵＬ構成４であり、且つ前記第２のＴＤＤ構成がＴＤＤ  ＤＬ／ＵＬ構成２である場合；
を除いて、
前記第２のＴＤＤ構成の下りリンクの複数のサブフレームが前記第１のＴＤＤ構成の下りリンクの複数のサブフレームのサブセットである場合、前記第１のＴＤＤ構成を前記基準ＴＤＤ構成として選択させ、且つ
前記第１のＴＤＤ構成がＴＤＤ  ＤＬ／ＵＬ構成１であり、且つ前記第２のＴＤＤ構成がＴＤＤ  ＤＬ／ＵＬ構成３である場合；
前記第１のＴＤＤ構成がＴＤＤ  ＤＬ／ＵＬ構成２であり、且つ前記第２のＴＤＤ構成がＴＤＤ  ＤＬ／ＵＬ構成３又は４である場合；
前記第１のＴＤＤ構成がＴＤＤ  ＤＬ／ＵＬ構成３であり、且つ前記第２のＴＤＤ構成がＴＤＤ  ＤＬ／ＵＬ構成１又は２である場合；又は
前記第１のＴＤＤ構成がＴＤＤ  ＤＬ／ＵＬ構成４であり、且つ前記第２のＴＤＤ構成がＴＤＤ  ＤＬ／ＵＬ構成２である場合；
を除いて、
前記第２のＴＤＤ構成の下りリンクの複数のサブフレームが前記第１のＴＤＤ構成の下りリンクの複数のサブフレームの拡張集合である場合、前記第２のＴＤＤ構成を前記基準ＴＤＤ構成として選択させるプログラム。
【請求項２】
前記基準ＴＤＤ構成は、前記Ｓセルのシステムインフォメーションブロックにより示されるＴＤＤ構成とは異なる、
請求項１に記載のプログラム。
【請求項３】
前記システムインフォメーションブロックは、システムインフォメーションブロック１（ＳＩＢ１）である、
請求項２に記載のプログラム。
【請求項４】
前記第１のＴＤＤ構成は、前記Ｐセルのシステムインフォメーションブロック１（ＳＩＢ１）で示され、且つ
前記第２のＴＤＤ構成は、前記ＳセルのＳＩＢ１で示される、
請求項１に記載のプログラム。
【請求項５】
前記プログラムは、前記携帯装置に、さらに：
前記基準ＴＤＤ構成であって、上りリンクの複数のサブフレームが、前記第１のＴＤＤ構成と前記第２のＴＤＤ構成との間で共通の上りリンクの複数のサブフレームと同じである、前記基準ＴＤＤ構成、を選択させる、
請求項１に記載のプログラム。
【請求項６】
前記プログラムは、前記携帯装置に：
前記第１のＴＤＤ構成がＴＤＤ  ＤＬ／ＵＬ構成１であり且つ前記第２のＴＤＤ構成がＴＤＤ  ＤＬ／ＵＬ構成３である場合、前記基準ＴＤＤ構成としてＴＤＤ  ＤＬ／ＵＬ構成４を選択させ；
前記第１のＴＤＤ構成がＴＤＤ  ＤＬ／ＵＬ構成２であり且つ前記第２のＴＤＤ構成がＴＤＤ  ＤＬ／ＵＬ構成３である場合、前記基準ＴＤＤ構成としてＴＤＤ  ＤＬ／ＵＬ構成５を選択させ；且つ
前記第１のＴＤＤ構成がＴＤＤ  ＤＬ／ＵＬ構成２であり且つ前記第２のＴＤＤ構成がＴＤＤ  ＤＬ／ＵＬ構成４である場合、前記基準ＴＤＤ構成としてＴＤＤ  ＤＬ／ＵＬ構成５を選択させる、
請求項１に記載のプログラム。
【請求項７】
前記プログラムは、前記携帯装置に：
前記第１のＴＤＤ構成がＴＤＤ  ＤＬ／ＵＬ構成３であり且つ前記第２のＴＤＤ構成がＴＤＤ  ＤＬ／ＵＬ構成１である場合、前記基準ＴＤＤ構成としてＴＤＤ  ＤＬ／ＵＬ構成４を選択させ；
前記第１のＴＤＤ構成がＴＤＤ  ＤＬ／ＵＬ構成３であり且つ前記第２のＴＤＤ構成がＴＤＤ  ＤＬ／ＵＬ構成２である場合、前記基準ＴＤＤ構成としてＴＤＤ  ＤＬ／ＵＬ構成５を選択させ；且つ
前記第１のＴＤＤ構成がＴＤＤ  ＤＬ／ＵＬ構成４であり且つ前記第２のＴＤＤ構成がＴＤＤ  ＤＬ／ＵＬ構成２である場合、前記基準ＴＤＤ構成としてＴＤＤ  ＤＬ／ＵＬ構成５を選択させる、
請求項１に記載のプログラム。
【請求項８】
前記プログラムは、前記携帯装置に、さらに：
少なくとも一つの上りリンクのサブフレームを介して、前記基準ＴＤＤ構成のＨＡＲＱタイミングに従って、肯定応答又は否定応答を送信させる、
請求項１から７のいずれか１項に記載のプログラム。
【請求項９】
前記第１のＴＤＤ構成、前記第２のＴＤＤ構成、及び前記基準ＴＤＤ構成のいずれも、ＴＤＤ下りリンク／上りリンク（ＤＬ／ＵＬ）構成１から６のうちのいずれか一つを含む、
請求項１から７のいずれか１項に記載のプログラム。
【請求項１０】
異なる周波数帯域及び異なる時分割デュプレックス（ＴＤＤ）構成を有する第１及び第２のコンポーネントキャリアを介して、携帯装置により、一つ以上の基地局と通信するステップであって、前記第１のコンポーネントキャリアはプライマリサービングセル（Ｐセル）と関連付けられ、且つ前記第２のコンポーネントキャリアは、セカンダリサービングセル（Ｓセル）と関連付けられる、ステップ；
前記第２のコンポーネントキャリアを介して一つ以上の下りリンクの送信を受信するステップ；及び
前記第１及び第２のコンポーネントキャリアの前記ＴＤＤ構成に基づいて、ハイブリッド自動再送要求（ＨＡＲＱ）タイミング系列を選択するステップ；
前記選択されたＨＡＲＱタイミング系列に従って、前記一つ以上の下りリンクの送信と関連付けられる一つ以上の肯定応答及び／又は否定応答（ＡＣＫ／ＮＡＣＫ）信号を送信するステップ；
を備え、
さらに、
第１のコンポーネントキャリアのＴＤＤ構成がＴＤＤ下りリンク／上りリンク（ＤＬ／ＵＬ）構成１であり、且つ第２のコンポーネントキャリアのＴＤＤ構成がＴＤＤ  ＤＬ／ＵＬ構成３である場合；
前記第１のコンポーネントキャリアの前記ＴＤＤ構成がＴＤＤ  ＤＬ／ＵＬ構成２であり、且つ前記第２のコンポーネントキャリアの前記ＴＤＤ構成がＴＤＤ  ＤＬ／ＵＬ構成３又は４である場合；
前記第１のコンポーネントキャリアの前記ＴＤＤ構成がＴＤＤ  ＤＬ／ＵＬ構成３であり、且つ前記第２のコンポーネントキャリアの前記ＴＤＤ構成がＴＤＤ  ＤＬ／ＵＬ構成１又はＴＤＤ  ＤＬ／ＵＬ構成２である場合；又は
前記第１のコンポーネントキャリアの前記ＴＤＤ構成がＴＤＤ  ＤＬ／ＵＬ構成４であり、且つ前記第２のコンポーネントキャリアの前記ＴＤＤ構成がＴＤＤ  ＤＬ／ＵＬ構成２である場合；
を除いて、
前記第２のコンポーネントキャリアの前記ＴＤＤ構成の下りリンクの複数のサブフレームが前記第１のコンポーネントキャリアの前記ＴＤＤ構成の下りリンクの複数のサブフレームのサブセットである場合、前記第１のコンポーネントキャリアの前記ＴＤＤ構成を前記ＨＡＲＱタイミング系列として選択するステップ；及び
前記第１のコンポーネントキャリアの前記ＴＤＤ構成がＴＤＤ  ＤＬ／ＵＬ構成１であり、且つ前記第２のコンポーネントキャリアの前記ＴＤＤ構成がＴＤＤ  ＤＬ／ＵＬ構成３である場合；
前記第１のコンポーネントキャリアの前記ＴＤＤ構成がＴＤＤ  ＤＬ／ＵＬ構成２であり、且つ前記第２のコンポーネントキャリアの前記ＴＤＤ構成がＴＤＤ  ＤＬ／ＵＬ構成３又は４である場合；
前記第１のコンポーネントキャリアの前記ＴＤＤ構成がＴＤＤ  ＤＬ／ＵＬ構成３であり、且つ前記第２のコンポーネントキャリアの前記ＴＤＤ構成がＴＤＤ  ＤＬ／ＵＬ構成１又は２である場合；又は
前記第１のコンポーネントキャリアの前記ＴＤＤ構成がＴＤＤ  ＤＬ／ＵＬ構成４であり、且つ前記第２のコンポーネントキャリアの前記ＴＤＤ構成がＴＤＤ  ＤＬ／ＵＬ構成２である場合；
を除いて、
前記第２のコンポーネントキャリアの前記ＴＤＤ構成の下りリンクの複数のサブフレームが前記第１のコンポーネントキャリアの前記ＴＤＤ構成の下りリンクの複数のサブフレームの拡張集合である場合、前記第２のコンポーネントキャリアの前記ＴＤＤ構成を前記ＨＡＲＱタイミング系列として選択するステップ；
を備える方法。
【請求項１１】
前記ＨＡＲＱタイミング系列を選択するステップは：
前記携帯装置により、前記第１及び第２のコンポーネントキャリアの各下りリンクのサブフレームが、第１種の下りリンクのサブフレーム又は第２種の下りリンクのサブフレームのいずれであるかを識別するステップであって、前記第１及び第２のコンポーネントキャリアのうちの一つの各下りリンクのサブフレームは、前記第１及び第２のコンポーネントキャリアのうちの他方の対応するサブフレームが下りリンクのサブフレームである場合、前記第１種であり、前記第１及び第２のコンポーネントキャリアのうちの前記１つの各下りリンクのサブフレームは、前記第１及び第２のコンポーネントキャリアのうちの前記他方の対応するサブフレームが上りリンクのサブフレームである場合、前記第２種である、ステップ；及び
各下りリンクのサブフレームに関連付けられた前記一つ以上のＡＣＫ／ＮＡＣＫ信号を、前記下りリンクのサブフレームが前記第１種の下りリンクのサブフレームとして識別されたか又は前記第２種の下りリンクのサブフレームとして識別されたかに基づいて、前記携帯装置により選択的に送信するステップ；
を含む、
請求項１０に記載の方法。
【請求項１２】
前記一つ以上のＡＣＫ／ＮＡＣＫ信号を選択的に送信するステップは、前記第１種の下りリンクのサブフレームとして識別された各下りリンクのサブフレームに対して、前記選択されたＨＡＲＱタイミング系列として前記第１のコンポーネントキャリアの前記ＴＤＤ構成に従って、前記一つ以上のＡＣＫ／ＮＡＣＫ信号を送信することを含む、
請求項１１に記載の方法。
【請求項１３】
前記一つ以上のＡＣＫ／ＮＡＣＫ信号を選択的に送信するステップは、前記第２種の下りリンクのサブフレームとして識別された前記第２のコンポーネントキャリアの各下りリンクのサブフレームに対して、前記選択されたＨＡＲＱタイミング系列として前記第２のコンポーネントキャリアの前記ＴＤＤ構成に従って、前記一つ以上のＡＣＫ／ＮＡＣＫ信号を送信すること、及び前記第２種の下りリンクのサブフレームとして識別された前記第１のコンポーネントキャリアの各下りリンクのサブフレームに対して、前記選択されたＨＡＲＱタイミング系列として前記第１のコンポーネントキャリアの前記ＴＤＤ構成に従って、前記一つ以上のＡＣＫ／ＮＡＣＫ信号を送信することを含む、
請求項１１に記載の方法。
【請求項１４】
前記一つ以上のＡＣＫ／ＮＡＣＫ信号を選択的に送信するステップは、前記第２種として識別された前記第２のコンポーネントキャリアの各下りリンクのサブフレームに対して、前記選択されたＨＡＲＱタイミング系列として基準ＴＤＤ構成に従って、前記一つ以上のＡＣＫ／ＮＡＣＫ信号を送信すること、及び前記第２種として識別された前記第１のコンポーネントキャリアの各下りリンクのサブフレームに対して、前記選択されたＨＡＲＱタイミング系列として前記第１のコンポーネントキャリアの前記ＴＤＤ構成に従って、前記一つ以上のＡＣＫ／ＮＡＣＫ信号を送信することを含む、
請求項１１に記載の方法。
【請求項１５】
前記基準ＴＤＤ構成は、前記第１及び第２のコンポーネントキャリアの両方のＴＤＤ構成に共通である複数のサブフレームと同じである複数の上りリンクのサブフレームを含むように選択される、
請求項１４に記載の方法。
【請求項１６】
前記複数のＴＤＤ構成は、それぞれ、ＴＤＤ下りリンク／上りリンク構成０から６のうちのいずれか１つを含む、
請求項１１に記載の方法。
【請求項１７】
少なくとも部分的にハードウェアで実装される通信モジュールであって、
異なる周波数帯域及び異なる時分割デュプレックス（ＴＤＤ）構成を有する第１及び第２のコンポーネントキャリアであって、前記第１のコンポーネントキャリアはプライマリサービングセル（Ｐセル）と関連付けられ、且つ前記第２のコンポーネントキャリアは、セカンダリサービングセル（Ｓセル）と関連付けられる、第１及び第２のコンポーネントキャリア、を介して、一つ以上の基地局と通信を行い、且つ
前記第２のコンポーネントキャリアを介して一つ以上の下りリンクの送信を受信する、通信モジュール；及び
少なくとも部分的にハードウェアで実装されるハイブリッド自動再送要求（ＨＡＲＱ）モジュールであって、
前記第１及び第２のコンポーネントキャリアの前記ＴＤＤ構成に基づいて、ＨＡＲＱタイミング系列の選択を行い、且つ
前記一つ以上の下りリンクの送信と関連付けられる一つ以上の肯定応答及び／又は否定応答（ＡＣＫ／ＮＡＣＫ）信号を生成する、ＨＡＲＱモジュール；
を備える装置であって、
前記通信モジュールは、さらに、前記選択されたＨＡＲＱタイミング系列に従って、前記一つ以上のＡＣＫ／ＮＡＣＫ信号を送信するように構成され、且つ
前記ＨＡＲＱモジュールは、さらに、
第１のコンポーネントキャリアのＴＤＤ構成がＴＤＤ下りリンク／上りリンク（ＤＬ／ＵＬ）構成１であり、且つ第２のコンポーネントキャリアのＴＤＤ構成がＴＤＤ  ＤＬ／ＵＬ構成３である場合；
前記第１のコンポーネントキャリアの前記ＴＤＤ構成がＴＤＤ  ＤＬ／ＵＬ構成２であり、且つ前記第２のコンポーネントキャリアの前記ＴＤＤ構成がＴＤＤ  ＤＬ／ＵＬ構成３又は４である場合；
前記第１のコンポーネントキャリアの前記ＴＤＤ構成がＴＤＤ  ＤＬ／ＵＬ構成３であり、且つ前記第２のコンポーネントキャリアの前記ＴＤＤ構成がＴＤＤ  ＤＬ／ＵＬ構成１又はＴＤＤ  ＤＬ／ＵＬ構成２である場合；又は
前記第１のコンポーネントキャリアの前記ＴＤＤ構成がＴＤＤ  ＤＬ／ＵＬ構成４であり、且つ前記第２のコンポーネントキャリアの前記ＴＤＤ構成がＴＤＤ  ＤＬ／ＵＬ構成２である場合；
を除いて、
前記第２のコンポーネントキャリアの前記ＴＤＤ構成の下りリンクの複数のサブフレームが前記第１のコンポーネントキャリアの前記ＴＤＤ構成の下りリンクの複数のサブフレームのサブセットである場合、前記第１のコンポーネントキャリアの前記ＴＤＤ構成を前記ＨＡＲＱタイミング系列として選択し；且つ
前記第１のコンポーネントキャリアの前記ＴＤＤ構成がＴＤＤ  ＤＬ／ＵＬ構成１であり、且つ前記第２のコンポーネントキャリアの前記ＴＤＤ構成がＴＤＤ  ＤＬ／ＵＬ構成３である場合；
前記第１のコンポーネントキャリアの前記ＴＤＤ構成がＴＤＤ  ＤＬ／ＵＬ構成２であり、且つ前記第２のコンポーネントキャリアの前記ＴＤＤ構成がＴＤＤ  ＤＬ／ＵＬ構成３又は４である場合；
前記第１のコンポーネントキャリアの前記ＴＤＤ構成がＴＤＤ  ＤＬ／ＵＬ構成３であり、且つ前記第２のコンポーネントキャリアの前記ＴＤＤ構成がＴＤＤ  ＤＬ／ＵＬ構成１又は２である場合；又は
前記第１のコンポーネントキャリアの前記ＴＤＤ構成がＴＤＤ  ＤＬ／ＵＬ構成４であり、且つ前記第２のコンポーネントキャリアの前記ＴＤＤ構成がＴＤＤ  ＤＬ／ＵＬ構成２である場合；
を除いて、
前記第２のコンポーネントキャリアの前記ＴＤＤ構成の下りリンクの複数のサブフレームが前記第１のコンポーネントキャリアの前記ＴＤＤ構成の下りリンクの複数のサブフレームの拡張集合である場合、前記第２のコンポーネントキャリアの前記ＴＤＤ構成を前記ＨＡＲＱタイミング系列として選択する；
装置。
【請求項１８】
前記ＨＡＲＱモジュールは、さらに、前記第１及び第２のコンポーネントキャリアの前記ＴＤＤ構成の間で共通の上りリンクの複数のサブフレームと同じ上りリンクの複数のサブフレームを含む前記ＨＡＲＱタイミング系列を選択するように構成される、
請求項１７に記載の装置。
【請求項１９】
前記ＨＡＲＱタイミング系列は、前記第１及び第２のコンポーネントキャリアの前記ＴＤＤ構成とは異なる基準ＴＤＤ構成に基づく、
請求項１７に記載の装置。
【請求項２０】
前記ＨＡＲＱタイミング系列は、基準ＴＤＤ構成に基づき、且つ前記ＨＡＲＱモジュールは、前記第２のコンポーネントキャリアの前記ＴＤＤ構成の全ての下りリンクのサブフレームが前記第１のコンポーネントキャリアの前記ＴＤＤ構成の全ての下りリンクのサブフレームのサブセットであった場合に、前記第１のコンポーネントキャリアの前記ＴＤＤ構成を前記基準ＴＤＤ構成として選択するように構成される、
請求項１７に記載の装置。
【請求項２１】
前記ＨＡＲＱタイミング系列は、基準ＴＤＤ構成に基づき、且つ前記ＨＡＲＱモジュールは、前記第２のコンポーネントキャリアの前記ＴＤＤ構成の全ての下りリンクのサブフレームが前記第１のコンポーネントキャリアの前記ＴＤＤ構成の全ての下りリンクのサブフレームの拡張集合であった場合に、前記第２のコンポーネントキャリアの前記ＴＤＤ構成を前記基準ＴＤＤ構成として選択するように構成される、
請求項１７に記載の装置。
【請求項２２】
前記複数のＴＤＤ構成は、それぞれ、ＴＤＤ下りリンク／上りリンク（ＤＬ・ＵＬ）構成０から６のうちのいずれか１つを含む、
請求項１７から２１のいずれか１項に記載の装置。
【請求項２３】
前記装置は、携帯電話、ネットブック、ラップトップ、電子タブレット、又は車載データシステムを含む、
請求項１７から２１のいずれか１項に記載の装置。
【請求項２４】
前記装置は、タッチスクリーンディスプレイを含む、
請求項１７から２１のいずれか１項に記載の装置。
【請求項２５】
前記ＨＡＲＱモジュールは、さらに、
前記第１のコンポーネントキャリアの前記ＴＤＤ構成がＴＤＤ  ＤＬ／ＵＬ構成１であり且つ前記第２のコンポーネントキャリアの前記ＴＤＤ構成がＴＤＤ  ＤＬ／ＵＬ構成３である場合、前記ＨＡＲＱタイミング系列としてＴＤＤ  ＤＬ／ＵＬ構成４を選択し；
前記第１のコンポーネントキャリアの前記ＴＤＤ構成がＴＤＤ  ＤＬ／ＵＬ構成２であり且つ前記第２のコンポーネントキャリアの前記ＴＤＤ構成がＴＤＤ  ＤＬ／ＵＬ構成３又はＴＤＤ  ＤＬ／ＵＬ構成４である場合、前記ＨＡＲＱタイミング系列としてＴＤＤ  ＤＬ／ＵＬ構成５を選択し；
前記第１のコンポーネントキャリアの前記ＴＤＤ構成がＴＤＤ  ＤＬ／ＵＬ構成３であり且つ前記第２のコンポーネントキャリアの前記ＴＤＤ構成がＴＤＤ  ＤＬ／ＵＬ構成１である場合、前記ＨＡＲＱタイミング系列としてＴＤＤ  ＤＬ／ＵＬ構成４を選択し；且つ
前記第２のコンポーネントキャリアの前記ＴＤＤ構成がＴＤＤ  ＤＬ／ＵＬ構成２であり且つ前記第１のコンポーネントキャリアの前記ＴＤＤ構成がＴＤＤ  ＤＬ／ＵＬ構成３又はＴＤＤ  ＤＬ／ＵＬ構成４である場合、前記ＨＡＲＱタイミング系列としてＴＤＤ  ＤＬ／ＵＬ構成５を選択する、
請求項１７に記載の装置。
【請求項２６】
請求項１から９のうちいずれか１項に記載のプログラムを記憶したコンピュータ読取り可能な記憶媒体。
【発明の詳細な説明】
【技術分野】
【０００１】
［関連出願の相互参照］
本出願は、「ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ」と題する米国仮特許出願第６１／５５６、１０９の優先権を主張し、参照することにより、その全内容をここに援用する。
【０００２】
本発明の実施例は、一般に通信の分野に関連し、より詳細には、無線通信ネットワークにおける送達確認のタイミングの選択に関連する。
【背景技術】
【０００３】
無線通信において、時分割デュプレックス（ＴＤＤ）システムは、リソースの利用における柔軟性を提供する場合がある。例えば、ＴＤＤシステムは、無線通信セルの上りリンクのトラフィック特性及び下りリンクのトラフィック特性に合わせて、異なるＴＤＤの構成を利用することができる。当該異なるＴＤＤの構成を用いることについての柔軟性により、利用可能な上りリンク（ＵＬ）のリソースと下りリンク（ＤＬ）のリソースとの間の比が、３ＵＬ：２ＤＬから１ＵＬ：９ＤＬに及ぶ可能性がある。
【０００４】
第３世代パートナーシッププロジェクト（３ＧＰＰ）のロングタームエボルーションアドバンスト（ＬＴＥ−Ａ）通信規格のリリース１０は、同じ上りリンク／下りリンク（ＵＬ／ＤＬ）ＴＤＤ構成に対するＴＤＤコンポーネントキャリア（ＣＣｓ）のアグリゲーションの対応を制限する場合がある。
【発明の概要】
【発明が解決しようとする課題】
【０００５】
そのような制限は、当該規格内での設計および動作を簡略化しているかもしれないが、その一方で、そのような制限は、より大きなデータスループットの可能性を制限しているかもしれない。
【課題を解決するための手段】
【０００６】
携帯装置により、プライマリサービングセル（ＰＣｅｌｌ）及びセカンダリサービングセル（ＳＣｅｌｌ）を介した１つ以上の基地局との通信を設定するステップであって、前記ＰＣｅｌｌは第１のＴＤＤ構成で設定されており、前記ＳＣｅｌｌは第２のＴＤＤ構成で設定されている、ステップ；
前記携帯装置により、前記ＳＣｅｌｌを通して、下りリンクのデータを受信するステップ；
前記携帯装置により、前記第１のＴＤＤ構成及び第２のＴＤＤ構成に基づき、基準ＴＤＤ構成を選択するステップ；及び
前記基準ＴＤＤ構成のハイブリッド自動再送要求（ＨＡＲＱ）タイミングに従って、下りリンクのデータに関連付けられた送達確認情報を送信するステップ；
を備える方法。
【０００７】
携帯装置が、異なる周波数帯域及び時分割デュプレックス（ＴＤＤ）構成を有する第１及び第２のコンポーネントキャリアにより、１つ以上の基地局と通信するステップ；
前記第２のコンポーネントキャリアにより、１つ以上の下りリンクの送信を受信するステップ；
前記第１及び第２のコンポーネントキャリアの前記ＴＤＤ構成に基づき、ハイブリッド自動再送要求（ＨＡＲＱ）タイミングの列を選択するステップ；及び
前記選択したＨＡＲＱタイミングの列に従って、前記１つ以上の下りリンクの送信に関連付けられている、１つ以上の肯定応答、及び／又は否定応答（ＡＣＫ／ＮＡＣＫ）信号を送信するステップ；
を備える方法。
【０００８】
異なる周波数帯域及び時分割デュプレックス（ＴＤＤ）構成を有する第１及び第２のコンポーネントキャリアにより１つ以上の基地局と通信し、かつ前記第２のコンポーネントキャリアにより、１つ以上の下りリンクの送信を受信する通信モジュール；及び
前記第１及び第２のコンポーネントキャリアの前記ＴＤＤ構成に基づき、ＨＡＲＱタイミング列を選択し、前記１つ以上の下りリンクの送信と関連付けられる、１つ以上の肯定的送達確認及び／又は否定的送達確認（ＡＣＫ／ＮＡＣＫ）信号を生成する、前記通信モジュールと結合したハイブリッド自動再送要求（ＨＡＲＱ）モジュール；
とを備え、
前記通信モジュールは、さらに、前記選択されたＨＡＲＱタイミング列に従って、前記１つ以上のＡＣＫ／ＮＡＣＫ信号を送信することを特徴とする、装置。
【図面の簡単な説明】
【０００９】
本発明の実施例は、限定するものではないが、添付の図面において例として図示されている。ここで、同様な参照符号は、同様な要素を示す。
【図１】各種実施例に従う無線通信ネットワークを概略的に説明する図である。
【図２】各種実施例に従う選択的なＨＡＲＱ信号スケジューリング図を概略的に説明する図である。
【図３】各種実施例に従う選択的なＨＡＲＱ信号スケジューリング図を概略的に説明する図である。
【図４】各種実施例に従うＨＡＲＱ信号スケジューリング構成の選択を説明するフローチャートである。
【図５】各種実施例に従うＨＡＲＱ信号スケジューリング構成の選択の例を概略的に示す図である。
【図６】各種実施例に従うＨＡＲＱ信号スケジューリングの例を概略的に説明する図である。
【図７】各種実施例に従う下りリンクサブフレームのＨＡＲＱ信号スケジューリングの選択を説明するフローチャートである。
【図８】各種実施例に従うＨＡＲＱ信号スケジューリングの例を概略的に説明する図である。
【図９】各種実施例に従うＨＡＲＱ信号スケジューリング図の例を概略的に説明する図である。
【図１０】各種実施例に従うシステムの例を概略的に示す図である。
【発明を実施するための形態】
【００１０】
本開示の例示的な実施例は、無線通信ネットワークにおける送達確認信号のタイミングを選択するための方法、システム、及び装置を含むが、これらには限定されない。
【００１１】
例示的な実施例の様々な態様は、それらの作用の要旨を他の当業者に伝えるために、当業者によって一般的に用いられる用語を使用して説明される。しかしながら、説明された態様の部分を使用して実施できる、いくつかの代替の実施例を実施してもよいことが当業者には明らかであろう。説明を目的として、例示的な実施例の完全な理解を提供するために、特定の数、物質、及び構成が示されている。しかしながら、これらの特定の詳細なしで、代替の実施例を実施してもよいことが当業者にとって明らかであろう。他の例においては、例示的な実施例を不明瞭にしないために、周知の特徴は、省略または簡略化される。
【００１２】
さらに、様々な動作は、例示的な実施例の理解に最も有用な方法で、複数の別個の動作として順番に説明される。しかしながら、これらの動作が必然的に順序に依存することを意味するとして、当該説明の順序を解釈すべきではない。特に、これらの動作は、提示の順序で実行される必要はない。
【００１３】
「一実施例において」という語句が繰り返し使用される。この語句は、一般的には、同じ実施例を参照するものではないが、同じ実施例を参照してもよい。「ｃｏｍｐｒｉｓｉｎｇ」、「ｈａｖｉｎｇ」、及び「ｉｎｃｌｕｄｉｎｇ」という用語は、文脈が別途指定しない限り、同義である。語句「Ａ／Ｂ」は、「Ａ又はＢ」を意味する。語句「Ａ及び／又はＢ」は、「（Ａ）、（Ｂ）、又は（Ａ及びＢ）」を意味する。「Ａ、Ｂ及びＣの少なくとも１つ」という語句は、「（Ａ）、（Ｂ）、（Ｃ）、（Ａ及びＢ）、（Ａ及びＣ）、（Ｂ及びＣ）又は（Ａ、Ｂ及びＣ）」を意味する。語句「（Ａ）Ｂ」は、「（Ｂ）又は（ＡＢ）」を意味する、すなわち、Ａはオプションである。
【００１４】
本明細書において、特定の実施例が図示および説明されるが、代替及び／又は同等な実施形態により、本開示の実施例の範囲から逸脱することなく、図示及び説明される特定の実施例が代替され得ることが当業者により理解されるであろう。この出願は、本明細書で説明される実施例のいかなる翻案又は変形をも包含することを意図している。従って、本開示の実施例は、特許請求の範囲及びその均等物によってのみ限定されることが明らかに意図されている。
【００１５】
本明細書で使用される「モジュール」という用語は、１つ以上のソフトウェア又はファームウェアプログラムを実行する特定用途向け集積回路（ＡＳＩＣ）、電子回路、（共有、専用、又はグループの）プロセッサ、及び／又は（共有、専用、又はグループの）メモリ；組合せ論理回路；及び／又は説明する機能を提供するその他の適切な構成要素；の一部のことを参照してもよく、或いはそれらを含んでもよい。
【００１６】
図１は、各種実施例に従う、無線通信ネットワーク１００を概略的に示す。無線通信ネットワーク１００（以下、「ネットワーク１００」）は、ｅｖｏｌｖｅｄ  ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）の地上無線アクセスネットワーク（Ｅ−ＵＴＲＡＮ）等の、第３世代パートナーシッププロジェクト（３ＧＰＰ）ロングタームエボルーション（ＬＴＥ）のアクセスネットワークであってもよい。ネットワーク１００は、ユーザ装置（ＵＥ）１０８等の携帯装置又は携帯端末と無線通信する、例えば、拡張ノード基地局（ｅＮＢ）１０４等の基地局を含んでもよい。本発明の実施形態は、ＬＴＥネットワークを参照して説明されるが、いくつかの実施例は、別の種類の無線アクセスネットワークと共に使用してもよい。
【００１７】
ｅＮＢ１０４は、１つ以上のアンテナ１３０によりＵＥ１０８からの信号を受信する受信モジュール１２０を含んでもよい。ｅＮＢ１０４は、１つ以上のアンテナ１３０によりＵＥ１０８への信号を送信する送信モジュール１２４を含んでもよい。ｅＮＢ１０４は、受信モジュール１２０と送信モジュール１２４との間で結合され、かつこれらの信号により通信される情報を符号化及び復号化するプロセッサモジュール１２８を含んでもよい。
【００１８】
ＵＥ１０８がキャリアアグリゲーション（ＣＡ）を利用可能な実施例において、ｅＮＢ１０４とＵＥ１０８との間の通信のために、いくつかのコンポーネントキャリア（ＣＣ）を統合してもよい。初期接続設定において、ＵＥ１０８は、プライマリＣＣを利用するｅＮＢ１０４の、プライマリサービングセル（Ｐｃｅｌｌ）に接続してもよい。この接続は、セキュリティ、モビリティ、システム設定等のために用いられてもよい。続いて、ＵＥ１０８は、１つ以上のセカンダリＣＣを利用するｅＮＢ１０４の１つ以上のセカンダリサービングセル（Ｓｃｅｌｌ）に接続してもよい。これらの接続は、追加の無線リソースを提供するために用いられてもよい。
【００１９】
各ＣＣは、３ＧＰＰ  ＬＴＥアドバンスト通信規格のリリースに従って、通信チャネルのいくつかに対応してもよい。例えば、各ＣＣは、下りリンクのデータの伝送のための、物理下りリンク共有チャネル（ＰＤＳＣＨ）に対応してもよい。別の例として、各ＣＣは、ＵＥ１０８とｅＮＢ１０４との間で情報を伝達する物理上りリンク制御チャネル（ＰＵＣＣＨ）及び／又は物理上りリンク共有チャネル（ＰＵＳＣＨ）に対応してもよい。ＣＣは、ｅＮＢ１０４とＵＥ１０８との間で情報を伝達するための複数の上りリンク及び下りリンクのサブフレームを含んでもよい。単一の１０ｍｓの無線フレームは、１０のサブフレームを含んでもよい。
【００２０】
ＣＣは、時間領域のデュプレックス（ＴＤＤ）通信プロトコルに従って、情報を転送してもよい。各ＣＣは、いくつかのＴＤＤ構成のうちの１つに従って、ＵＥ１０８にデータを転送するため、又はｅＮＢ１０４にデータを転送するためにスケジュールされてもよい。例えば、表１に関連して、各ＣＣは、ＴＤＤ構成０−６の１つに従って、転送データ及び／又は制御信号に対して割り当てられてもよい。
0006326122.tif 000002
プライマリＣＣ及びセカンダリＣＣは両方とも同じＴＤＤ構成により構成されてもよく、或いは異なるＴＤＤ構成により構成されてもよい。一般に、「Ｄ」又は「Ｓ」と表示される各サブフレーム０−９は、それによりＵＥ１０８がｅＮＢ１０４からデータを受信するサブフレームであり、「Ｕ」と表示される各サブフレーム０−９は、それによりＵＥ１０８がデータをｅＮＢ１０４に伝送するサブフレームである。
【００２１】
ｅＮＢ１０４は、ＰＣｅｌｌのみによって、いくつかの情報を通信してもよく、かつＰＣｅｌｌ又はＳＣｅｌｌのどちらかにより、他の情報を通信してもよい。例えば、ｅＮＢ１０４は、ＰＣｅｌｌのみにより、ＵＥ１０８からの送達確認信号を受信してもよい。一実施例によると、これらの送達確認信号は、データ受信の肯定的送達確認（ＡＣＫ）及びデータ受信の否定的送達確認（ＮＡＣＫ）に対応するハイブリッド適応再送要求（ＨＡＲＱ）信号であってもよい。実施例において、ＵＥ１０８は、送信データが受信された、又は受信されていないことをｅＮＢ１０４に通知するためのＡＣＫ／ＮＡＣＫ信号を送信してもよい。
【００２２】
ＵＥ１０８は、ＡＣＫ／ＮＡＣＫ信号をｅＮＢ１０４に送信するためのスケジュールを決定してもよい。ＵＥ１０８は、受信モジュール１４４、送信モジュール１４８、プロセッサモジュール１５２、及び１つ以上の適切なアンテナ１５６を備えてもよい。ｅＮＢ１０４への／からの無線信号を送信及び受信するために、受信モジュール１４４及び送信モジュール１４８は、１つ以上の適切なアンテナ１５６と結合されてもよい。
【００２３】
プロセッサモジュール１５２は、受信モジュール１４４及び送信モジュール１４８と結合されてもよく、かつＵＥ１０８とｅＮＢ１０４との間で通信される信号の中で伝送される情報を符号化及び復号化してもよい。プロセッサモジュールは、通信モジュール１５４及びＨＡＲＱモジュール１５８を含んでもよい。プロセッサモジュール１５２は、第１の周波数における第１のＴＤＤ構成のスケジューリングに従って、ＰＣｅｌｌの上りリンクのサブフレームにおいて、例えばＣＣ＿０で、情報を送信するために、通信モジュール１５４を用いてもよい。また、プロセッサモジュール１５２は、第１の周波数とは異なる第２の周波数における第２のＴＤＤ構成に従って、ＳＣｅｌｌの上りリンクのサブフレームの中で、例えば、ＣＣ＿１で、情報を転送してもよい。一実施例によると、バンド間キャリアアグリゲーションに従って、ＣＣ＿０とＣＣ＿１との間の送信周波数の差は、数百キロヘルツから数十ギガヘルツの範囲であってもよい。
【００２４】
以下に詳細に説明するように、プロセッサモジュール１５２は、ＳＣｅｌｌのＴＤＤ構成とは異なる、ＴＤＤ  ＵＬ−ＤＬ構成のスケジュールにより、ＳＣｅｌｌ通信のためのＡＣＫ／ＮＡＣＫ情報を選択的に送信してもよい。複数の実施例において、プロセッサモジュール１５２は、複数のＴＤＤ構成のうちの１つに基づいてＨＡＲＱタイミング列又はタイミングスケジュールを選択するために、ＨＡＲＱモジュール１５８を用いてもよい。また、ＨＡＲＱモジュール１５８は、プロセッサモジュール１５２のためのＡＣＫ／ＮＡＣＫ情報を生成してもよい。ＨＡＲＱモジュールは、通信モジュール１５４と結合され、そして、選択されたＨＡＲＱタイミング列によって、生成したＡＣＫ／ＮＡＣＫ情報を送信するために、通信モジュール１５４を用いてもよい。
【００２５】
本開示の各種実施例は、複数のコンポーネントキャリアでの複数の異なるＴＤＤ構成により、ｅＮＢが上りリンク及び下りリンクのデータ伝送をスケジュールすることを可能にしてもよい。これらの特徴は、通信システムが以前の通信システムよりも高いピークデータレートで、データ情報を有利に送信することを可能とする場合がある。しかしながら、異なるＴＤＤ構成を有するＰＣｅｌｌ及びＳＣｅｌｌにより送信されるいくつかの情報は、ＨＡＲＱのＡＣＫ／ＮＡＣＫリソースとの競合に帰着する場合がある。例えば、ＳＣｅｌｌ及びＰＣｅｌｌの両方のＨＡＲＱのＡＣＫ／ＮＡＣＫ信号は、ＰＣｅｌｌの上りリンクのサブフレームのみにより、ＵＥ１０８とｅＮＢ１０４との間で送信される場合があるため、ＰＣｅｌｌの上りリンクのサブフレームのスケジュールは、ＳＣｅｌｌのためのＡＣＫ／ＮＡＣＫ情報のスケジューリングの矛盾という結果をもたらすかもしれない。
【００２６】
本明細書に記載の多くの実施例は、キャリアアグリゲーションの文脈で説明されているが、他の実施例は、ＵＥ１０８及びｅＮＢ１０４が、通信のために、単一のコンポーネントキャリアの単一のサービングセルを利用する実施例に対して適用可能であることが理解されるであろう。これらの実施例において、ＵＥ１０８は、例えば、ｅＮＢ１０４により報知されるシステムインフォメーションブロック１（ＳＩＢ１）の受信により、第１のＴＤＤ  ＵＬ−ＤＬ構成に従うｅＮＢ１０４とデータを通信してもよい。ＵＥ１０８は、さらに、第２のＴＤＤ  ＵＬ−ＤＬ構成のＨＡＲＱタイミング列によってＡＣＫ／ＮＡＣＫ情報を送信してもよい。これら及び他の実施例は、さらに詳細に説明される。
【００２７】
図２は、実施例に従う、プロセッサモジュール１５２により実行され得るＨＡＲＱのＡＣＫ／ＮＡＣＫ信号のスケジューリングの図を示す。図２は、（表１に示される）ＴＤＤ構成１で構成されるＰＣｅｌｌ及びＴＤＤ構成３で構成されるＳＣｅｌｌを示す。各線２００は、下りリンク又は特殊サブフレームデータと、ｅＮＢにＡＣＫ／ＮＡＣＫ情報を返すために指定されている上りリンクのサブフレームとの間のリンクを表す。
【００２８】
図２の方法によると、全てのセカンダリサービングセル（例えば、ＳＣｅｌｌ）のＰＤＳＣＨのＨＡＲＱタイミングは、ＰＣｅｌｌのＴＤＤのＵＬ−ＤＬ構成に従ってもよく、これにより、Ｒｅｌ−１０のＴＤＤバンド内キャリアアグリゲーション設計の再利用の増加が許容される。例えば、ＳＣｅｌｌのＨＡＲＱのＡＣＫ／ＮＡＣＫ情報は、ＴＤＤ構成１のＨＡＲＱスケジューリングに従ってもよい。なぜならば、ＴＤＤ構成１は、ＰＣｅｌｌのＴＤＤ構成だからである。しかしながら、ＳＣｅｌｌのＨＡＲＱのＡＣＫ／ＮＡＣＫ情報のそのような構成によれば、いくつかのＡＣＫ／ＮＡＣＫ情報がｅＮＢにフィードバックされない場合がある。
【００２９】
図示されるように、１無線フレームの中のＳＣｅｌｌのサブフレーム７及び８は、示されているＴＤＤ構成のキャリアアグリゲーションを用いるＵＥによっては、スケジュール及び利用されることはできない。なぜならば、ＰＣｅｌｌは、ＨＡＲＱのＡＣＫ／ＮＡＣＫ伝送のための対応するリソースを持っていないからである。従って、リリース１０のキャリアアグリゲーション設計を実質的に再利用する方法は、有利であるように思われる一方で、そのような方法は、また、いくつかの欠点も含んでいる。
【００３０】
図３は、実施例に従う、プロセッサモジュール１５２により実行されてもよい、ＨＡＲＱのＡＣＫ／ＮＡＣＫ信号のスケジューリングの図を示す。図３は、ＳＣｅｌｌサブフレーム７及び８のＡＣＫ／ＮＡＣＫ情報をＰＣｅｌｌの上りリンクのサブフレーム３の中にスケジューリングする問題を説明するものである。図示するように、ＳＣｅｌｌのサブフレーム９及び０は、ＰＣｅｌｌの上りリンクのサブフレームではなくて、下りリンクのサブフレームである、ＰＣｅｌｌのサブフレーム４の間に送信される必要があるかもしれない。従って、図３に説明する方法は、ＡＣＫ／ＮＡＣＫ情報に対して、伝送のための上りリンクのリソースが無い状態とする場合がある。
【００３１】
図４は、図２及び３において説明されている潜在的な否定的側面を克服できる、各種実施例に従う、ＨＡＲＱスケジューリングの構成を選択するための方法４００を説明するフローチャートである。
【００３２】
ブロック４０４において、ＵＥ１０８は、第１のＴＤＤ構成を用いて、ＰＣｅｌｌを設定してもよい。いくつかの実施例において、ＵＥ１０８は、例えば、ｅＮＢ１０４といった、基地局から報知されるＳＩＢ１の中で受信する情報に基づき、第１のＴＤＤ構成を用いて、ＰＣｅｌｌを設定してもよい。
【００３３】
ブロック４０８において、ＵＥ１０８は、第２のＴＤＤ構成を用いて、ＳＣｅｌｌ通信チャネルを設定してもよい。いくつかの実施例において、ＵＥ１０８は、ＰＣｅｌｌを介した無線リソース制御（ＲＲＣ）シグナリングの中で受信する、ｅＮＢ１０４からの情報に基づいて、第２のＴＤＤ構成を用いて、ＳＣｅｌｌを設定してもよい。
【００３４】
ブロック４１２において、ＵＥ１０８は、複数の上りリンクのサブフレームのうちのどれが、第１及び第２のＴＤＤ構成の両方に対して共通であるかを判定してもよい。これらは、共通ＵＬサブフレームと呼ばれてもよい。
【００３５】
ブロック４１６において、共通ＵＬサブフレームと同じである上りリンクのサブフレームを有する基準ＴＤＤ構成を選択してもよい。例えば、選択されたＨＡＲＱのＴＤＤ構成の上りリンクのサブフレームは、ちょうど、共通の上りリンクサブフレームと同じであってもよい。
【００３６】
ＵＥ１０８は、表２に示す情報に基づいて、基準ＴＤＤ構成を決定してもよい。（下記）表２は、それぞれＰＣｅｌｌ及びＳｃｅｌｌのＴＤＤ構成０−６に対応する、ｘ軸及びｙ軸を示す。
0006326122.tif 000003
例えば、ＰＣｅｌｌがＴＤＤ構成４で構成され、かつＳＣｅｌｌがＴＤＤ構成２で構成される場合、ＵＥ１０８は、基準ＴＤＤ構成として、ＴＤＤ構成５を選択してもよい。
【００３７】
表２の斜線部は、基準ＴＤＤ構成が、ＰＣｅｌｌのＴＤＤ構成でも、ＳｃｅｌｌのＴＤＤ構成でもない場合の例である。
【００３８】
表２の非斜線部分は、ＰＣｅｌｌのＴＤＤ構成であるか、又はＳＣｅｌｌのＴＤＤ構成である基準ＴＤＤ構成を示す。表２の非斜線部分は、ＰＣｅｌｌ及びＳＣｅｌｌのＴＤＤ構成の、下りリンクのサブフレームによって記述されてもよい。実施例において、ＳＣｅｌｌのＴＤＤ構成（例えば、ＳＩＢ１構成）により示される下りリンクのサブフレームの集合がＰＣｅｌｌのＴＤＤ構成（例えば、ＳＩＢ１構成）により示される下りリンクのサブフレームの部分集合である場合、基準ＴＤＤ構成として、ＰＣｅｌｌのＴＤＤ構成が選択されることになる。ＳＣｅｌｌのＴＤＤ構成により示される下りリンクのサブフレームのセットがＰＣｅｌｌのＴＤＤ構成により示される下りリンクのサブフレームの拡張集合である場合、基準ＴＤＤ構成として、ＳＣｅｌｌのＴＤＤ構成が選択されることになる。
【００３９】
図４に戻って、ブロック４２４において、ＵＥ１０８は、例えば、ＴＤＤ構成５といった、基準ＴＤＤ構成のスケジューリングに従って、ＳＣｅｌｌのＡＣＫ／ＮＡＣＫ情報を送信してもよい。
【００４０】
図５は、各種実施例に従って、基準ＴＤＤ構成を選択する例を概略的に示す。方法４００及び表２に関連して上述したように、ボックス５０４は、ＰＣｅｌｌのＴＤＤ構成とＳＣｅｌｌのＴＤＤ構成との間で共通の、上りリンクのサブフレーム（２及び３）を囲んでいる。表１のＴＤＤ構成のうち、ＴＤＤ構成４が、上りリンクのサブフレーム２及び３を含むＴＤＤ構成である。さらに、表２は、ＴＤＤ構成４をＰＣｅｌｌのＴＤＤ構成１及びＳＣｅｌｌのＴＤＤ構成３と共に用いることができることを示している。従って、ＴＤＤ構成４は、この実施例におけるＨＡＲＱのＴＤＤ構成として選択されてもよい。
【００４１】
図６は、各種実施例に従う、ＨＡＲＱの信号のスケジューリングの例を概略的に示す。特に、図６は、ＳＣｅｌｌ及びＰＣｅｌｌが異なるＴＤＤ構成で構成される一方で、ＳＣｅｌｌ通信に関連するＨＡＲＱのＡＣＫ／ＮＡＣＫ情報がＰＣｅｌｌにより送信されてもよいことを示す。図示されるように、ＳＣｅｌｌはＴＤＤ構成３で構成され、ＰＣｅｌｌはＴＤＤ構成１で構成され、かつＳＣｅｌｌに関連するＨＡＲＱのＡＣＫ／ＮＡＣＫ情報は、ＴＤＤ構成４のＨＡＲＱスケジューリングを用いることにより、ＰＣｅｌｌにより送信されてもよい。
【００４２】
図７は、各種実施例に従う、基準ＴＤＤ構成を選択するための方法７００を説明するためのフローチャートである。各種実施例に従い、ＵＥ１０８は、方法７００を、方法４００の代替として又は方法４００と組み合わせて実行してもよい。
【００４３】
ブロック７０４において、ＵＥ１０８は、ＰＣｅｌｌ及びＳＣｅｌｌの両方のコンポーネントキャリアの各下りリンクのサブフレームを、タイプ１のサブフレーム又はタイプ２のサブフレームとして識別してもよい。ＵＥ１０８は、下りリンクサブフレームについて、他のコンポーネントサブキャリアの中の対応するサブフレームが下りリンクのサブフレームである場合、当該下りリンクサブフレームをタイプ１のサブフレームとして識別してもよい。例えば、ＳＣｅｌｌのコンポーネントキャリアのサブフレーム６が下りリンクのサブフレームである場合、ＰＣｅｌｌのコンポーネントサブキャリアの中のサブフレーム６の下りリンクのサブフレームは、タイプ１としてもよい。ＵＥ１０８は、下りリンクのサブフレームについて、他のコンポーネントキャリアの対応するサブフレームが上りリンクのサブフレームである場合、当該下りリンクのサブフレームをタイプ２のサブフレームとして識別してもよい。例えば、ＳＣｅｌｌのＣＣのサブフレーム３が下りリンクのサブフレームであり、かつＰＣｅｌｌのＣＣのサブフレーム３が上りリンクのサブフレームであった場合、ＳＣｅｌｌのＣＣのサブフレーム３を、タイプ２の下りリンクのサブフレームとしてもよい。換言すれば、各下りリンクのサブフレームは、そのサブフレームが他のコンポーネントキャリアの対応するサブフレームと同様に割り当てられる場合、タイプ１とされてよく、そして当該サブフレームが他のコンポーネントキャリアの対応するサブフレームと異なって割り当てられる場合、タイプ２とされてもよい。
【００４４】
ブロック７０６において、ＵＥ１０８は、ＰＣｅｌｌ又はＳＣｅｌｌから下りリンクのサブフレームを選択してもよい。
【００４５】
ブロック７０８において、ＵＥ１０８は、下りリンクのサブフレームがタイプ１であるか否かを判定してもよい。当該下りリンクのサブフレームがタイプ１であった場合、方法７００はブロック７１２に進む。
【００４６】
ブロック７１２において、ＵＥ１０８は、ＰＣｅｌｌのＴＤＤ構成のタイミングスケジュールに従って、選択された下りリンクのサブフレームのためのＡＣＫ／ＮＡＣＫ信号を送信する。方法７００は、次の下りリンクのサブフレームのために、ブロック７０４に戻る。
【００４７】
ブロック７０８に戻って、下りリンクのサブフレームがタイプ１でない場合、方法７００は、ブロック７１６（オプション１）又はブロック７１８（オプション２）のいずれかに進む。
【００４８】
ブロック７１６において、ＵＥ１０８は、下りリンクのサブフレームが属するサービングセルのＴＤＤ構成のタイミングスケジュールに従って、下りリンクのサブフレームのためのＡＣＫ／ＮＡＣＫ信号を送信する。例えば、ＰＣｅｌｌにおいて、下りリンクのサブフレームがタイプ２であった場合、ＵＥ１０８は、ＰＣｅｌｌのＴＤＤ構成のタイミングスケジュールに従って、下りリンクのサブフレームのためのＡＣＫ／ＮＡＣＫ信号を送信する。ＳＣｅｌｌにおいて、下りリンクのサブフレームがタイプ２であった場合、ＵＥ１０８は、ＳＣｅｌｌのＴＤＤ構成のタイミングスケジュールに従って、下りリンクのサブフレームのためのＡＣＫ／ＮＡＣＫ信号を送信する。方法７００は、次の下りリンクのサブフレームのために、ブロック７０４に戻る。
【００４９】
ブロック７０８に戻って、下りリンクのサブフレームがタイプ１でなかった場合、方法７００は、ブロック７１６に代えて、選択的にブロック７１８に進んでもよい。
【００５０】
ブロック７１８において、ＵＥ１０８は、ＰＣｅｌｌにおいて、タイプ２の下りリンクが存在するか否かを判定してもよい。選択された下りリンクのサブフレームがＰＣｅｌｌに存在する場合、方法７００は、ブロック７１２に進んでもよい。選択された下りリンクのサブフレームがＳＣｅｌｌに存在する場合、方法７００は、ブロック７２０に進んでもよい。
【００５１】
ブロック７２０において、ＵＥ１０８は、方法４００により決定された基準ＴＤＤ構成のＨＡＲＱ−ＡＣＫタイミングスケジュールに従って、選択されたサブフレームのためのＡＣＫ／ＮＡＣＫ信号を送信してもよい。その後、方法７００は、ブロック７０４に戻ってもよい。
【００５２】
図８は、各種実施例に従う、ＨＡＲＱ信号のスケジューリングの図の例を概略的に示す。例えば、方法７００に関連して上述したように、ＰＣｅｌｌ及びＳＣｅｌｌの下りリンクのサブフレーム（及び特殊なサブフレーム）は、他のサービングセルの対応するものが下りリンクのサブフレームであった場合、タイプ１として識別されてもよい。ボックス８０４及びボックス８０８は、ＰＣｅｌｌ及びＳＣｅｌｌの両方のサブフレーム０、１、５及び６がタイプ１として識別されてもよいことを示す。従って、タイプ１のサブフレームのＨＡＲＱのＡＣＫ／ＮＡＣＫ情報は、例えば、ＴＤＤ構成０といった、ＰＣｅｌｌのＴＤＤ構成に従って、送信されてもよい。
【００５３】
他のサービングセルの対応するサブフレームが上りリンクのサブフレームであった場合、ＰＣｅｌｌ及びＳＣｅｌｌの下りリンクのサブフレームは、タイプ２として識別されてもよい。ＳＣｅｌｌのサブフレーム３、４、８及び９は、それらがタイプ２のサブフレームであり得ることを示すために、ハッシュマークを含む。方法７００に従って、ＳＣｅｌｌのタイプ２のサブフレームのＨＡＲＱのＡＣＫ／ＮＡＣＫ情報は、例えば、ＴＤＤ構成２などの、ＴＤＤ構成のＨＡＲＱタイミングに従って送信されてもよい。この例において、方法７００のオプション１又は２のどちらにおいても、ＴＤＤ構成２が選択され得ることに注意してもよい。
【００５４】
図９は、各種実施例に従う、ＨＡＲＱ信号のスケジューリング図の例を概略的に示す。一実施例によれば、下りリンクのサブフレームはタイプ１又はタイプ２として識別されてもよい。この実施例において、ＰＣｅｌｌ及びＳＣｅｌｌのサブフレーム０、１、５、６及び９は、タイプ１のサブフレームであってもよく、一方でＰＣｅｌｌのサブフレーム４及びＳＣｅｌｌのサブフレーム７及び８は、タイプ２のサブフレームであってもよい。方法７００において説明したように、ＰＣｅｌｌのＴＤＤ構成のＨＡＲＱタイミングは、ＰＣｅｌｌ内のものであろうと、或いはＳＣｅｌｌ内のものであろうと、タイプ１のサブフレームに対して用いられる。
【００５５】
ＰＣｅｌｌのタイプ２のサブフレームに対して、すなわち、サブフレーム４に対して、例えば、ＴＤＤ構成１などの、ＰＣｅｌｌのＴＤＤ構成に従って、ＨＡＲＱのＡＣＫ／ＮＡＣＫ情報がスケジュールされてもよい。これは、方法７００のオプション１又は２のどちらの場合であってもよい。
【００５６】
方法７００のオプション１が用いられる場合、ＳＣｅｌｌのタイプ２のサブフレームに対して、すなわち、サブフレーム７及び８に対して、例えば、ＳＣｅｌｌのＴＤＤ構成でるＴＤＤ構成３のＨＡＲＱタイミングに従って、ＨＡＲＱのＡＣＫ／ＮＡＣＫ情報がフィードバックされてもよい。しかしながら、方法７００のオプション２が用いられる場合、ＨＡＲＱのＡＣＫ／ＮＡＣＫ情報は、方法４００に従って選択されたＨＡＲＱのＴＤＤ構成に従って、スケジュールされてもよい。この例において、ＰＣｅｌｌがＴＤＤ構成１を有し、かつＳＣｅｌｌがＴＤＤ構成３を有することを考慮して、ＨＡＲＱのＴＤＤ構成は、ＴＤＤ構成４であってもよい。
【００５７】
本明細書に記載のｅＮＢ１０４及びＵＥ１０８は、必要に応じて構成するために、適切ないかなるハードウェア及び／又はソフトウェアを使用して、システムに実装されてもよい。図１０は、一実施例に関する、１つ以上のプロセッサ１００４、少なくとも１つ以上のプロセッサと結合したシステム制御論理部１００８、システム制御論理部１００８と結合した不揮発性メモリ（ＮＶＭ）／記憶部１０１６、及びシステム制御論理部１００８と結合したネットワークインターフェース１０２０を備えるシステム１００の例を示す。
【００５８】
プロセッサ１００４は、１つ以上のシングルコアプロセッサ又はマルチコアプロセッサを含んでもよい。プロセッサ１００４は、汎用プロセッサ及び専用プロセッサ（例えば、グラフィックプロセッサ、アプリケーションプロセッサ、ベースバンドプロセッサ等）のいかなる組合せを含んでもよい。システム１０００がＵＥ１０８を実現する実施例において、プロセッサ１００４は、プロセッサモジュール１５２を含んでもよく、かつ各種実施例に従い、図２−９の実施例を実行してもよい。システム１０００がｅＮＢ１０４を実現する実施例において、プロセッサ１００４は、プロセッサモジュール１２８を含んでもよく、かつＵＥ１０８の送信するＨＡＲＱのＡＣＫ／ＮＡＣＫ情報を復号してもよい。
【００５９】
一実施例のシステム制御論理部１００８は、１つ以上のプロセッサ１００４及び／又はシステム制御論理部１００８と通信している適切ないかなる装置又は構成要素に対して適切なインターフェースを提供するために、適切ないかなるインターフェース制御部を含んでもよい。
【００６０】
一実施例のシステム制御論理部１００８は、システムメモリ１０１２に対するインターフェースを提供するために、１つ以上のメモリ制御部を含んでもよい。システムメモリ１０１２は、例えば、システム１０００のための、データ及び／又は命令をロード及び記憶するために用いられてもよい。一実施例のシステムメモリ１０１２は、例えば、適切なダイナミックランダムアクセスメモリ（ＤＲＡＭ）などの、適切な如何なる揮発性メモリを含んでもよい。
【００６１】
ＮＶＭ／記憶部１０１６は、例えば、データ及び／又は命令を記憶するために使用される、１つ以上の有形の、非一時的コンピュータ可読媒体を含んでもよい。ＮＶＭ／記憶部１０１６は、例えば、フラッシュメモリといった、適切ないかなる不揮発性メモリを含んでもよく、及び／又は１つ以上のハードディスクドライブ（ＨＤＤ）、１つ以上のコンパクトディスク（ＣＤ）ドライブ、及び／又は１つ以上のデジタル多用途ディスク（ＤＶＤ）ドライブ等の、適切ないかなる不揮発性記憶装置を含んでもよい。
【００６２】
ＮＶＭ／記憶部１０１６は、システム１０００がインストールされている装置の記憶装置リソースの物理的部分を含んでもよく、或いは必ずしも当該装置の部分ではなく、当該装置が利用可能であり得る記憶装置リソースを含んでもよい。例えば、ＮＶＭ／記憶部１０１６は、ネットワークインターフェース１０２０により、ネットワークにより利用可能とされてもよい。
【００６３】
システムメモリ１０１２及びＮＶＭ／記憶部１０１６は、それぞれ、特に、命令１０２４の暫定的及び永続的なコピーを含んでもよい。命令１０２４は、命令であって、少なくとも１つのプロセッサ１００４により実行された場合、システム１０００に、本明細書に記載の方法４００及び７００のうちの１つ又は両方を実行させる、命令、を含んでもよい。いくつかの実施例において、命令１０２４又はそれについてのハードウェア、ファームウェア、及び／又はソフトウェア構成要素は、追加的に／代替的に、システム制御論理部１００８、ネットワークインターフェース１０２０、及び／又はプロセッサ１００４に位置してもよい。
【００６４】
ネットワークインターフェース１０２０は、システム１０００に対して１つ以上のネットワーク及び／又は他の適切な装置による無線インターフェースを提供するための、送受信部１０２２を含んでもよい。送受信部１０２２は、受信モジュール１４４及び／又は送信モジュール１４８を実現してもよい。各種実施例において、送受信部１０２２は、システム１０００の他の構成要素と一体化されてもよい。例えば、送受信部１０２２は、プロセッサ１００４のプロセッサ、システムメモリ１０１２のメモリ、及びＮＶＭ／記憶部１０１６のＮＶＭ／記憶部を含んでもよい。ネットワークインターフェース１０２０は、適切な如何なるハードウェア及び／又はファームウェアを含んでもよい。ネットワークインターフェース１０２０は、多重入出力（ｍｕｌｔｉｐｌｅ  ｉｎｐｕｔ，  ｍｕｌｔｉｐｌｅ  ｏｕｔｐｕｔ）無線インターフェースを提供するための複数のアンテナを含んでもよい。一実施例のネットワークインターフェース１０２０は、例えば、ネットワークアダプタ、無線ネットワークアダプタ、電話モデム、及び／又は無線モデムを含んでもよい。
【００６５】
一実施例において、１つ以上のプロセッサ１００４は、システム制御論理部１００８の１つ以上の制御部の論理部と共にパッケージにされてもよい。一実施例において、１つ以上のプロセッサ１００４は、Ｓｙｓｔｅｍ  ｉｎ  Ｐａｃｋａｇｅ（ＳｉＰ）を形成するために、システム制御論理部１００８の１つ以上の制御部の論理部と共にパッケージにされてもよい。一実施例において、１つ以上のプロセッサ１００４は、システム制御論理部１００８の１つ以上の制御部の論理部と共に同じダイに一体化されてもよい。一実施例において、１つ以上のプロセッサ１００４は、システムオンチップ（ＳｏＣ）を形成するために、システム制御論理部１００８の１つ以上の制御部の論理部と共に同じダイに一体化されてもよい。
【００６６】
システム１０００は、さらに、複数の入出力（Ｉ／Ｏ）装置１０３２を含んでもよい。複数のＩ／Ｏデバイス１０３２は、ユーザとシステム１０００との対話処理を可能とするための複数のユーザインターフェース、周辺部品とシステム１０００との対話処理を可能とするための複数の周辺部品インターフェース、及び／又は環境条件及び／又はシステム１０００に関連する位置情報を決定するための複数のセンサを含んでもよい。
【００６７】
各種実施例において、複数のユーザインターフェースは、ディスプレイ（例えば、液晶ディスプレイ、タッチスクリーンディスプレイ等）、スピーカ、マイクロフォン、１つ以上のカメラ（例えば、スチルカメラ、及び／又はビデオカメラ）、フラッシュライト（例えば、発光ダイオードのフラッシュライト）、及びキーボードを含んでもよいが、これには限定されない。
【００６８】
各種実施例において、周辺部品インターフェースは、不揮発性メモリポート、オーディオジャック、及び電源インターフェースを含んでもよいが、これらには限定されない。
【００６９】
各種実施例において、センサは、ジャイロセンサ、加速度計、近接センサ、周辺光センサ、及び測位部を含んでもよいが、これらには限定されない。また、当該測位部は、例えば、全地球測位システム（ＧＰＳ）衛星等の、測位ネットワークの構成要素と通信するためのネットワークインターフェース１０２０の一部分であってもよく、或いはそれと情報交換を行ってもよい。
【００７０】
各種実施例において、システム１０００は、ラップトップコンピュータ装置、タブレットコンピュータ装置、ネットブック、携帯電話等のモバイルコンピューティングデバイスであってもよいが、これらには限定されない。各種実施例において、システム１０００は、ほぼ同じような構成要素、及び／又は異なる構造を有してもよい。
【００７１】
本開示は、以下に開示される様々な例示的実施形態を含んでもよい。
【００７２】
各種の例示的な実施例によれば、この方法は、携帯装置が基地局と、プライマリサービングセル（ＰＣｅｌｌ）及びセカンダリサービングセル（ＳＣｅｌｌ）を設定するステップを含む。ＰＣｅｌｌは、第１のＴＤＤ構成を用いて設定されてもよく、かつＳＣｅｌｌは、第２のＴＤＤ構成を用いて設定されてもよい。この方法は、携帯装置が、ＳＣｅｌｌを介して下りリンクのデータを受信するステップ、及び携帯装置が、第１及び第２のＴＤＤ構成に基づき、基準ＴＤＤ構成を選択するステップを含んでもよい。この方法は、基準ＴＤＤ構成のハイブリッド自動再送要求（ＨＡＲＱ）のタイミングに従って、下りリンクのデータと関連付けられた送達確認情報を送信するステップを含んでもよい。
【００７３】
複数の実施例において、基準ＴＤＤ構成は、ＳＣｅｌｌのシステム情報ブロックにより示されるＴＤＤ構成とは異なっていてもよい。
【００７４】
複数の実施例において、システム情報ブロックは、システム情報ブロック１（ＳＩＢ１）であってもよい。
【００７５】
複数の実施例において、第１のＴＤＤ構成は、ＰＣｅｌｌのＳＩＢ１によって表されてもよく、かつ第２のＴＤＤ構成は、ＳＣｅｌｌのＳＩＢ１によって表されてもよい。
【００７６】
複数の実施例において、この方法は、第１のＴＤＤ構成と第２のＴＤＤ構成との間で共通の上りリンクの複数サブフレームを決定するステップ、及び第１のＴＤＤ構成と第２のＴＤＤ構成との間で共通の上りリンクの複数のサブフレームに基づき、基準ＴＤＤ構成を選択するステップ、をさらに含んでもよい。
【００７７】
複数の実施例において、基準ＴＤＤ構成を選択するステップは、第１のＴＤＤ構成と第２のＴＤＤ構成との間で共通の上りリンクの複数のサブフレームを識別するステップを含んでもよく、かつ基準ＴＤＤ構成の上りリンクの複数のサブフレームが、第１のＴＤＤ構成と第２の構成との間の共通の上りリンクの複数のサブフレームと同じであるという判定に基づき、基準ＴＤＤ構成を選択するステップを含んでもよい。
【００７８】
複数の実施例において、基準ＴＤＤ構成を選択するステップは、第２のＴＤＤ構成の下りリンクの複数のサブフレーム全てが第１のＴＤＤ構成の下りリンクの複数のサブフレーム全ての部分集合である場合に、第１のＴＤＤ構成を基準ＴＤＤ構成として選択するステップを含んでもよく、かつ第２のＴＤＤ構成の下りリンクの複数のサブフレーム全てが、第１のＴＤＤ構成の下りリンクの複数のサブフレームの全ての拡張集合である場合に、第２のＴＤＤ構成を基準ＴＤＤ構成として選択するステップを含んでもよい。
【００７９】
複数の実施例において、基準ＴＤＤ構成を選択するステップは、第１のＴＤＤ構成がＴＤＤ  ＤＬ／ＵＬ構成１であり、かつ第２のＴＤＤ構成がＴＤＤ  ＤＬ／ＵＬ構成３である場合に、ＴＤＤ  ＤＬ／ＵＬ構成４を選択するステップ；第１のＴＤＤ構成がＴＤＤ  ＤＬ／ＵＬ構成２であり、かつ第２のＴＤＤ構成がＴＤＤ  ＤＬ／ＵＬ構成３である場合にＴＤＤ  ＤＬ／ＵＬ構成５を選択するステップ；及び第１のＴＤＤ構成がＴＤＤ  ＤＬ／ＵＬ構成２であり、かつ第２のＴＤＤ構成がＴＤＤ  ＤＬ／ＵＬ構成４である場合に、ＴＤＤ  ＤＬ／ＵＬ構成５を選択するステップを含んでもよい。
【００８０】
複数の実施例において、送達確認ＴＤＤを選択するステップは、第１のＴＤＤ構成がＴＤＤ  ＤＬ／ＵＬ構成３であり、かつ第２のＴＤＤ構成がＴＤＤ  ＤＬ／ＵＬ構成１である場合に、ＴＤＤ  ＤＬ／ＵＬ構成４を選択するステップ；第１のＴＤＤ構成がＴＤＤ  ＤＬ／ＵＬ構成３であり、かつ第２のＴＤＤ構成がＴＤＤ  ＤＬ／ＵＬ構成２である場合にＴＤＤ  ＤＬ／ＵＬ構成５を選択するステップ；及び第１のＴＤＤ構成がＴＤＤ  ＤＬ／ＵＬ構成４であり、かつ第２のＴＤＤ構成がＴＤＤ  ＤＬ／ＵＬ構成２である場合に、ＴＤＤ  ＤＬ／ＵＬ構成５を選択するステップを含んでもよい。
【００８１】
複数の実施例において、送達確認情報は、ハイブリッド自動再送要求の送達確認（ＨＡＲＱ−ＡＣＫ）信号を含んでもよく、かつＳＣｅｌｌの下りリンクのデータに関連付けられたＨＡＲＱ−ＡＣＫ信号だけが基準ＴＤＤ構成のＨＡＲＱタイミングに従って送信されてもよい。ＰＣｅｌｌの下りリンクのデータに関連付けられたＨＡＲＱ−ＡＣＫ信号は、第１のＴＤＤ構成のＨＡＲＱタイミングのみに従って、送信されてもよい。
【００８２】
複数の実施例において、送達確認情報を送信することは、１つ以上の上りリンクのサブフレームにおいて、基準ＴＤＤ構成のＨＡＲＱタイミングに従って、肯定応答又は否定応答を送信することを含んでもよい。
【００８３】
複数の実施例において、第１、第２及び基準ＴＤＤ構成は、それぞれ、第３世代パートナーシッププロジェクトのロングタームエボルーション（ＬＴＥ）アドバンスト無線通信規格のリリース８に関連付けられた、ＴＤＤ下りリンク／上りリンク（ＤＬ／ＵＬ）構成０−６の少なくとも１つを含んでもよい。
【００８４】
各種の例示的な実施例によると、この方法は、異なる周波数帯域及び時分割デュプレックス（ＴＤＤ）構成を有する第１及び第２のコンポーネントキャリアにより、携帯装置が基地局と通信するステップを含んでもよい。この方法は、第２のコンポーネントキャリアにより、１つ以上の下りリンクの送信を受信するステップ、及び第１及び第２のコンポーネントキャリアのＴＤＤ構成に基づき、ハイブリッド自動再送要求（ＨＡＲＱ）タイミング列を選択するステップを含んでもよい。この方法は、選択したＨＡＲＱタイミング列に従って、１つ以上の下りリンクの送信と関連付けられた１つ以上の肯定応答、及び又は否定応答（ＡＣＫ／ＮＡＣＫ）信号を送信するステップを含んでもよい。
【００８５】
複数の実施例において、ＨＡＲＱタイミング列を選択するステップは、携帯装置により、第１及び第２のコンポーネントキャリアの各下りリンクのサブフレームを、タイプ１の下りリンクのサブフレーム又はタイプ２の下りリンクのサブフレームとして識別するステップを含んでもよい。第１及び第２のコンポーネントキャリアのうちの１つの各下りリンクのサブフレームは、当該第１及び第２のコンポーネントキャリアのうちの他方の対応するサブフレームが下りリンクのサブフレームである場合、タイプ１であってもよい。第１及び第２のコンポーネントキャリアのうちの１つの各下りリンクのサブフレームは、当該第１及び第２のコンポーネントキャリアのうちの他方の対応するサブフレームが上りリンクのサブフレームである場合、タイプ２であってもよい。また、ＨＡＲＱタイミング列を選択することは、下りリンクのサブフレームが、タイプ１の下りリンクのサブフレームとして識別されたか、或いはタイプ２の下りリンクのサブフレームとして識別されたかに基づいて、携帯装置が、各下りリンクのサブフレームと対応付けられた１つ以上のＡＣＫ／ＮＡＣＫ信号を選択的に送信することを含んでもよい。
【００８６】
複数の実施例において、１つ以上のＡＣＫ／ＮＡＣＫ信号を選択的に送信することは、タイプ１の下りリンクのサブフレームとして識別された各下りリンクのサブフレームに対する第１のコンポーネントキャリアのＴＤＤ構成に従って、１つ以上のＡＣＫ／ＮＡＣＫ信号を送信することを含んでもよい。
【００８７】
複数の実施例において、１つ以上のＡＣＫ／ＮＡＣＫ信号を選択的に送信することは、タイプ２の下りリンクのサブフレームとして識別された第２のコンポーネントキャリアの各下りリンクのサブフレームに対する第２のコンポーネントキャリアのＴＤＤ構成に従って、１つ以上のＡＣＫ／ＮＡＣＫ信号を送信すること、及びタイプ２の下りリンクのサブフレームとして識別された第１のコンポーネントキャリアの各下りリンクのサブフレームに対する第１のコンポーネントキャリアのＴＤＤ構成に従って、１つ以上のＡＣＫ／ＮＡＣＫ信号を送信することを含んでもよい。
【００８８】
複数の実施例において、１つ以上のＡＣＫ／ＮＡＣＫ信号を選択的に送信することは、タイプ２として識別された第２のコンポーネントキャリアの各下りリンクのサブフレームに対する基準ＴＤＤ構成に従って、１つ以上のＡＣＫ／ＮＡＣＫ信号を送信すること、及びタイプ２として識別された第１のコンポーネントキャリアの各下りリンクのサブフレームに対するＴＤＤ構成に従って、１つ以上のＡＣＫ／ＮＡＣＫ信号を送信することを含んでもよい。
【００８９】
複数の実施例において、基準ＴＤＤ構成は、第１及び第２のコンポーネントキャリア両方のＴＤＤ構成に共通の複数のサブキャリアと同じである上りリンクの複数のサブフレームを含むように選択されてもよい。
【００９０】
複数の実施例において、各ＴＤＤ構成は、第３世代パートナーシッププロジェクト（３ＧＰＰ）ロングタームエボルーション（ＬＴＥ）アドバンスト無線通信規格のリリース８に関連付けられた構成０−６のうちの１つを含んでもよい。
【００９１】
複数の実施例において、携帯装置は、携帯電話、ネットブック、ノートパソコン、電子タブレット、又は車両のデータシステムであってもよい。
【００９２】
各種の例示的な実施例によると、少なくとも１つの機械可読媒体は、コンピュータ装置で実行されることに応答して、当該コンピュータ装置に、開示される複数の方法の例示的な実施例のいずれかを実行させる多数の命令を含んでもよい。
【００９３】
各種の例示的な実施例によると、装置は、異なる周波数帯域及び時分割デュプレックス（ＴＤＤ）構成を有する第１及び第２のコンポーネントキャリアにより、基地局と通信する通信モジュールを備えてもよい。通信モジュールは、第２のコンポーネントキャリアにより、１つ以上の下りリンクの送信を受信してもよい。この装置は、通信モジュールと結合し、かつ第１及び第２のコンポーネントキャリアのＴＤＤ構成に基づきＨＡＲＱタイミング列を選択するハイブリッド自動再送要求（ＨＡＱＲ）モジュールを備えてもよい。ＨＡＲＱモジュールは、１つ以上の下りリンクの送信と関連付けられた、１つ以上の肯定的送達確認、及び／又は否定的送達確認（ＡＣＫ／ＮＡＣＫ）信号を生成してもよい。通信モジュールは、さらに、選択されたＨＡＲＱタイミング列に従って、１つ以上のＡＣＫ／ＮＡＣＫ信号を送信してもよい。
【００９４】
複数の実施例において、ＨＡＲＱモジュールは、第１及び第２のコンポーネントキャリアのＴＤＤ構成の間で共通の上りリンクの複数のサブフレームを識別してもよい。選択されたＨＡＲＱタイミング列は、識別された共通の上りリンクの複数のサブフレームと同じである上りリンクの複数のサブフレームを有する基準ＴＤＤ構成のＨＡＲＱタイミング列であってもよい。
【００９５】
複数の実施例において、各ＴＤＤ構成は、第３世代パートナーシッププロジェクトのロングタームエボルーション（ＬＴＥ）アドバンスト無線通信規格のリリース８と関連付けられた、ＴＤＤ構成０−６の１つを含んでもよい。
【００９６】
本明細書において、説明を目的として、特定の実施例が図示及び説明されたが、本開示の範囲から逸脱することなく、同じ目的を達成することを意図された、多種多様な代替及び／又は同等な実施例及び実装を、図示及び説明された実施例の代用とすることが可能である。本出願は、本明細書で説明した実施例のあらゆる翻案又は変形を包含することを意図している。従って、本明細書で説明される実施例は、特許請求の範囲及びその均等物によってのみ限定されることが、明らかに意図されている。
【図１】
0006326122.tif 000004
【図２】
0006326122.tif 000005
【図３】
0006326122.tif 000006
【図４】
0006326122.tif 000007
【図５】
0006326122.tif 000008
【図６】
0006326122.tif 000009
【図７】
0006326122.tif 000010
【図８】
0006326122.tif 000011
【図９】
0006326122.tif 000012
【図１０】
0006326122.tif 000013